(57)【要約】【課題】SIPのシグナリングとRSVPのシグナリングを組み合わせて通信装置間で情報通信を開始するまでの時間を短縮することを可能にする通信システムを提供する。【解決手段】  本実施形態の通信システムは、通信装置（UA、UA'）間で情報通信を行う通信システムであり、SIPのシグナリングを用いてネットワークリソースを確保して情報通信を開始した後に、RSVPのシグナリングを用いてネットワークリソースを確保して情報通信を継続する。【選択図】図１
2010016735.tif 000002
【特許請求の範囲】
【請求項１】
通信装置間で情報通信を行う通信システムであって、
SIPのシグナリングを用いてネットワークリソースを確保して情報通信を開始した後に、RSVPのシグナリングを用いてネットワークリソースを確保して情報通信を継続することを特徴とする通信システム。
【請求項２】
SIPのシグナリングを用いて確保したネットワークリソースと、RSVPのシグナリングを用いて確保したネットワークリソースと、が異なる場合に、SIPのシグナリングを用いて確保したネットワークリソースを、RSVPのシグナリングを用いて確保したネットワークリソースに調整することを特徴とする請求項１記載の通信システム。
【請求項３】
SIPのシグナリングを用いてネットワークリソースを確保する場合には、SIPのINVITEのメッセージと前記INVITEのレスポンスのメッセージとの少なくとも１つのメッセージに含まれるネットワークリソースの情報を用いて、前記ネットワークリソースを確保し、
RSVPのシグナリングを用いてネットワークリソースを確保する場合には、RSVPのPATHのメッセージとRESVのメッセージとの少なくとも１つのメッセージに含まれるネットワークリソースの情報を用いて、前記ネットワークリソースを確保することを特徴とする請求項１または請求項２記載の通信システム。
【請求項４】
SIPのINVITEのメッセージと前記INVITEのレスポンスのメッセージとの少なくとも１つのメッセージに含まれるネットワークリソースの情報と、RSVPのPATHのメッセージとRESVのメッセージとの少なくとも１つのメッセージに含まれるネットワークリソースの情報と、が異なる場合に、SIPのシグナリングを用いて確保したネットワークリソースと、RSVPのシグナリングを用いて確保したネットワークリソースと、が異なると判断することを特徴とする請求項２または請求項３記載の通信システム。
【請求項５】
SIPのシグナリングを用いて確保したネットワークリソースを、RSVPのシグナリングを用いて確保したネットワークリソースに調整する場合には、SIPのUPDATEのメッセージと前記UPDATEのレスポンスのメッセージとの少なくとも１つのメッセージに含まれるネットワークリソースの情報を用いて、前記ネットワークリソースを調整することを特徴とする請求項２から請求項４の何れかの請求項に記載の通信システム。
【請求項６】
情報通信を行う通信装置であって、
SIPのシグナリングを用いてネットワークリソースを確保して情報通信を開始した後に、RSVPのシグナリングを用いてネットワークリソースを確保して情報通信を継続することを特徴とする通信装置。
【請求項７】
SIPのシグナリングを用いて確保したネットワークリソースと、RSVPのシグナリングを用いて確保したネットワークリソースと、が異なる場合に、SIPのシグナリングを用いて確保したネットワークリソースを、RSVPのシグナリングを用いて確保したネットワークリソースに調整することを特徴とする請求項６記載の通信装置。
【請求項８】
SIPのシグナリングを用いてネットワークリソースを確保する場合には、SIPのINVITEのメッセージと前記INVITEのレスポンスのメッセージとの少なくとも１つのメッセージに含まれるネットワークリソースの情報を用いて、前記ネットワークリソースを確保し、
RSVPのシグナリングを用いてネットワークリソースを確保する場合には、RSVPのPATHのメッセージとRESVのメッセージとの少なくとも１つのメッセージに含まれるネットワークリソースの情報を用いて、前記ネットワークリソースを確保することを特徴とする請求項６または請求項７記載の通信装置。
【請求項９】
SIPのINVITEのメッセージと前記INVITEのレスポンスのメッセージとの少なくとも１つのメッセージに含まれるネットワークリソースの情報と、RSVPのPATHのメッセージとRESVのメッセージとの少なくとも１つのメッセージに含まれるネットワークリソースの情報と、が異なる場合に、SIPのシグナリングを用いて確保したネットワークリソースと、RSVPのシグナリングを用いて確保したネットワークリソースと、が異なると判断することを特徴とする請求項７または請求項８記載の通信装置。
【請求項１０】
SIPのシグナリングを用いて確保したネットワークリソースを、RSVPのシグナリングを用いて確保したネットワークリソースに調整する場合には、SIPのUPDATEのメッセージと前記UPDATEのレスポンスのメッセージとの少なくとも１つのメッセージに含まれるネットワークリソースの情報を用いて、前記ネットワークリソースを調整することを特徴とする請求項７から請求項９の何れかの請求項に記載の通信装置。
【請求項１１】
通信装置間で情報通信を行う通信制御方法であって、
SIPのシグナリングを用いてネットワークリソースを確保して情報通信を開始した後に、RSVPのシグナリングを用いてネットワークリソースを確保して情報通信を継続することを特徴とする通信制御方法。
【請求項１２】
SIPのシグナリングを用いて確保したネットワークリソースと、RSVPのシグナリングを用いて確保したネットワークリソースと、が異なる場合に、SIPのシグナリングを用いて確保したネットワークリソースを、RSVPのシグナリングを用いて確保したネットワークリソースに調整することを特徴とする請求項１１記載の通信制御方法。
【請求項１３】
通信装置間で情報通信を行う通信制御プログラムであって、
SIPのシグナリングを用いてネットワークリソースを確保して情報通信を開始した後に、RSVPのシグナリングを用いてネットワークリソースを確保して情報通信を継続する処理を、コンピュータに実行させることを特徴とする通信制御プログラム。
【請求項１４】
SIPのシグナリングを用いて確保したネットワークリソースと、RSVPのシグナリングを用いて確保したネットワークリソースと、が異なる場合に、SIPのシグナリングを用いて確保したネットワークリソースを、RSVPのシグナリングを用いて確保したネットワークリソースに調整する処理を、コンピュータに実行させることを特徴とする請求項１３記載の通信制御プログラム。
【発明の詳細な説明】
【技術分野】
【０００１】
本発明は、通信装置間で情報通信を行う通信システム、通信装置、通信制御方法及び通信制御プログラムに関するものである。
【背景技術】
【０００２】
通信装置間で情報通信を行う場合に使用するプロトコルとして、帯域確保シグナリング（RSVP：Resource reservation setup protocol）がある。RSVPは、通信装置間でリアルタイムデータ等を転送する際に必要な帯域等のネットワークリソースをルータやスイッチ等の中継装置に予約するために使用するプロトコルである。通信装置間で情報通信を行う場合にRSVPを用いてネットワークリソースを確保する場合の処理動作例を図５に示す。
【０００３】
まず、送信側の通信装置（UA;User Agent）は、最寄りのRSVP対応中継装置（A）にPATHメッセージを送信する。PATHメッセージには、中継装置が保証しなければならないネットワークリソースに関する情報やPATHメッセージが通知されてきた中継装置に関する情報が含まれている。PATHメッセージは、いくつかの中継装置（図５の場合にはA→B→C）を介して受信側の通信装置（UA')まで送信される。受信側の通信装置（UA'）は、PATHメッセージを受信した場合に、RESVメッセージを送信側の通信装置（UA）に向けて送信する。RESVメッセージは、PATHメッセージが通知されてきた中継装置の順番（A→B→C）と逆向きに中継装置（C→B→A）を経由して送信側の通信装置（UA）まで送信される。各中継装置（C、B、A）は、RESVメッセージを受信した場合に、リソース確保を行う。これにより、通信装置（UA、UA'）間のネットワークリソースを確保することになる。リソース確保を行った後は、送信側の通信装置（UA）から受信側の通信装置（UA'）に向けてデータを送信する。受信側の通信装置（UA'）は、周期的にRESVメッセージを送信し、通信装置（UA、UA'）間のネットワークリソースを確保し続ける。受信側の通信装置（UA'）は、通信を終了する場合にRESV_TEARメッセージを送信側の通信装置（UA）に向けて送信し、通信を終了する。
【０００４】
このように、通信装置（UA、UA'）間で情報通信を行う場合にRSVPを用いることで通信装置（UA、UA'）間の帯域等のネットワークリソースを確保することが可能となる。その結果、一定の通信品質を保った情報通信を通信装置（UA、UA'）間で行うことが可能となる。しかし、RSVPを用いて通信装置（UA、UA'）間のネットワークリソースを確保する場合には、通信装置（UA、UA'）間の中継装置（A、B、C）のネットワークリソースを確保することになる。その結果、通信装置（UA、UA'）間で情報通信を開始するまでにはある程度の時間を要することになる。このようなことから、通信装置（UA、UA'）間で情報通信を開始するまでの時間を短縮するための仕組みの開発が必要視されつつある。
【０００５】
なお、本発明より先に出願された技術文献として、既存のネットワークに変化を殆ど要求せず、RSVP（Resource reservation setup protocol）セッションに参加している移動ホストの移動時にPRP（Pseudo Reservation Path）を設立する。そして、これを最適化させて遅延とオーバヘッドを最小化することで、持続的なサービス品質を保証する技術について開示された文献がある（例えば、特許文献１参照）。
上記特許文献１では、移動ホストが現在位置する最初のセルに位置している最初の基地局を介し、相対ホストCHと移動ホストMHとの間に予め資源予約経路を設立する。また、最初の基地局と隣接基地局との間に仮予約経路PRPを設立する。そして、移動ホストが最初のセルの隣接セルに移動すると、隣接基地局に設立したPRPが活性化する。そして、その活性化したPRPが最初の基地局及び隣接基地局を介して資源予約経路と連結し、最初の基地局を含まない最適化された資源予約経路を設立することにしている。
【０００６】
また、ネットワークエンドポイント間でネットワークリソースのセットを割り当てる技術について開示された文献がある（例えば、特許文献２参照）。
上記特許文献２では、セッション開始要求をアプリケーションマネージャに供給する。アプリケーションマネージャは、セッション開始要求の結果としてPCMMメッセージをポリシーサーバに供給する。そのPCMMメッセージには、セッション開始要求に埋め込まれた複数の情報を含んでおり、ポリシーサーバは、PCMMメッセージに基づいてネットワークリソースのセットを選択し、ネットワークエンドポイントを接続する経路を形成することにしている。
【特許文献１】特開２００２−９４５６６号公報
【特許文献２】特表２００７−５０３１８８号公報
【発明の開示】
【発明が解決しようとする課題】
【０００７】
なお、上記特許文献１、２には、ネットワーク経路を確立する際の技術について開示されている。しかし、上記特許文献１、２には、SIP（Session Initiation Protocol Server）のシグナリングとRSVPのシグナリングとを組み合わせて通信装置間で情報通信を開始するまでの時間を短縮する点については何ら記載もその必要性についても示唆されていない。
【０００８】
本発明は、上記事情に鑑みてなされたものであり、SIPのシグナリングとRSVPのシグナリングとを組み合わせて通信装置間で情報通信を開始するまでの時間を短縮することを可能にする通信システム、通信装置、通信制御方法及び通信制御プログラムを提供することを目的とする。
【課題を解決するための手段】
【０００９】
かかる目的を達成するために、本発明は、以下の特徴を有することとする。
【００１０】
＜通信システム＞
本発明にかかる通信システムは、
通信装置間で情報通信を行う通信システムであって、
SIPのシグナリングを用いてネットワークリソースを確保して情報通信を開始した後に、RSVPのシグナリングを用いてネットワークリソースを確保して情報通信を継続することを特徴とする。
【００１１】
＜通信装置＞
また、本発明にかかる通信装置は、
情報通信を行う通信装置であって、
SIPのシグナリングを用いてネットワークリソースを確保して情報通信を開始した後に、RSVPのシグナリングを用いてネットワークリソースを確保して情報通信を継続することを特徴とする。
【００１２】
＜通信制御方法＞
また、本発明にかかる通信制御方法は、
通信装置間で情報通信を行う通信制御方法であって、
SIPのシグナリングを用いてネットワークリソースを確保して情報通信を開始した後に、RSVPのシグナリングを用いてネットワークリソースを確保して情報通信を継続することを特徴とする通信制御方法。
【００１３】
＜通信制御プログラム＞
また、本発明にかかる通信制御プログラムは、
通信装置間で情報通信を行う通信制御プログラムであって、
SIPのシグナリングを用いてネットワークリソースを確保して情報通信を開始した後に、RSVPのシグナリングを用いてネットワークリソースを確保して情報通信を継続する処理を、コンピュータに実行させることを特徴とする。
【発明の効果】
【００１４】
本発明によれば、通信装置間で情報通信を開始するまでの時間を短縮することが可能となる。
【発明を実施するための最良の形態】
【００１５】
＜通信システムの概要＞
まず、図１を参照しながら、本実施形態の通信システムの概要について説明する。
本実施形態の通信システムは、通信装置（UA、UA'）間で情報通信を行う通信システムである。
そして、本実施形態の通信システムは、SIPのシグナリングを用いてネットワークリソースを確保して情報通信を開始した後に、RSVPのシグナリングを用いてネットワークリソースを確保して情報通信を継続することを特徴とする。これにより、SIPのシグナリングとRSVPのシグナリングとを組み合わせて通信装置（UA、UA'）間で情報通信を開始するまでの時間を短縮することが可能となる。
【００１６】
また、本実施形態の通信システムは、SIPのシグナリングを用いて確保したネットワークリソースと、RSVPのシグナリングを用いて確保したネットワークリソースと、が異なる場合に、SIPのシグナリングを用いて確保したネットワークリソースを、RSVPのシグナリングを用いて確保したネットワークリソースに調整することを特徴とする。これにより、SIPのシグナリングを用いて確保した不要なネットワークリソースを解放し、ネットワークリソースの有効活用を図ることが可能となる。以下、添付図面を参照しながら、本実施形態の通信システムについて詳細に説明する。
【００１７】
＜通信システムのシステム構成＞
まず、図１を参照しながら、本実施形態の通信システムのシステム構成について説明する。図１は、本実施形態の通信システムのシステム構成例を示す図である。
【００１８】
本実施形態の通信システムは、通信装置（UA、UA'）と、SIPサーバ（1、1'）と、ポリシーサーバ（2、2'）と、中継装置（3、3'、3''）と、を有して構成する。
【００１９】
通信装置（UA、UA'）は、情報通信を行う装置であり、PC、携帯電話機、サーバ等の通信装置が挙げられる。なお、本実施形態では、情報を送信する側の通信装置を送信側通信装置（UA）とし、情報を受信する側の通信装置を受信側通信装置（UA'）とする。送信側通信装置（UA）としては、VOD（Video On Demand）サーバ等のコンテンツ情報を提供する通信装置等が挙げられる。受信側通信装置（UA'）としては、PC、携帯電話機等の通信装置が挙げられる。
SIPサーバ（1、1'）は、SIPを利用して呼制御を行う装置である。
ポリシーサーバ（2、2'）は、ルータ、スイッチ等の複数のネットワーク機器のQos（サービス品質）やセキュリティの制御を管理する装置である。なお、ポリシーサーバ（2、2'）は、Media type に基づいて帯域を管理したり、加入者単位で帯域を管理したりすることになる。なお、帯域の管理方法は特に限定するものではなく、公知の技術を用いて帯域を管理することが可能である。
中継装置（3、3'、3''）は、データ転送を行う装置であり、ルータ、スイッチ等の通信装置が挙げられる。
【００２０】
本実施形態の通信システムは、SIPによる情報通信を行う場合には、図１に示す受信側通信装置（UA'）、SIPサーバ（1、1'）、ポリシーサーバ（2、2'）、エッジ中継装置（3、3'）、送信側通信装置（UA）の間で情報をやり取りし、SIPによる情報通信を行うことになる。
また、RSVPによる情報通信を行う場合には、図１に示す受信側通信装置（UA'）、中継装置（3、3'、3''）、送信側通信装置（UA）の間で情報をやり取りし、RSVPによる情報通信を行うことになる。
【００２１】
＜通信システムにおける処理動作＞
次に、図２を参照しながら、本実施形態の通信システムにおける一連の処理動作について説明する。
【００２２】
本実施形態の通信システムにおける処理動作は、以下の３つの工程に区分できる。
第１の工程；SIPのシグナリングを用いたリソース確保を行う工程
第２の工程；RSVPのシグナリングを用いたリソース確保を行う工程
第３の工程；エッジ中継装置のリソース変更を行う工程
【００２３】
＜第１の工程；SIPのシグナリングを用いたリソース確保を行う工程＞
まず、SIPのシグナリングを用いたリソース確保を行う工程について説明する。
【００２４】
受信側通信装置（UA'）は、送信側通信装置（UA）との間のネットワークリソースを確保するためにSIPのINVITEメッセージを受信側通信装置（UA'）の最寄りの第１のSIPサーバ（1'）に送信する。
第１のSIPサーバ（1'）は、SIPのINVITEメッセージを受け付けた場合に、そのSIPのINVITEメッセージを送信側通信装置（UA）の最寄りの第２のSIPサーバ（1）に送信する。
第２のSIPサーバ（1）は、SIPのINVITEメッセージを受け付けた場合に、そのSIPのINVITEメッセージを送信側通信装置（UA）に送信する。
【００２５】
送信側通信装置（UA）は、SIPのINVITEメッセージを受け付けた場合に、INVITEのレスポンスメッセージであるSIPの200 OKメッセージを第２のSIPサーバ（1）に送信する。なお、200 OKメッセージには、受信側通信装置（UA'）と情報通信を行う際に確保する帯域情報（本実施形態では100Mbps）等のネットワークリソースに関する情報が含まれる。送信側通信装置（UA）は、ネットワークリソースに関する情報を受信側通信装置（UA'）に送信する情報に応じて決定し、その決定したネットワークリソースに関する情報を、SDPを用いてメッセージボディに記述する。例えば、3GPPで規定されているSIP SDPのbラインにネットワークリソースに関する情報を記述する。
第２のSIPサーバ（1）は、SIPの200 OKメッセージを受け付けた場合に、リソース確保のメッセージを第２のポリシーサーバ（2）に送信する。なお、リソース確保のメッセージには、200 OKメッセージに含まれるネットワークリソースに関する情報が含まれる。第２のSIPサーバ（1）は、ネットワークリソースに関する情報を、SDPを用いてメッセージボディに記述する。
【００２６】
第２のポリシーサーバ（2）は、リソース確保のメッセージを受け付けた場合に、MEGACOを用いて送信側通信装置（UA）の最寄りのエッジ中継装置（3）と第２のSIPサーバ（1）との間のネットワークリソースを確保する。MEGACOは、呼を制御する際に使用するプロトコルの一つである。第２のポリシーサーバ（2）は、リソース確保のメッセージに含まれるネットワークリソースに関する情報に応じたネットワークリソースを確保する。これにより、第２のポリシーサーバ（2）は、エッジ中継装置（3）と第２のSIPサーバ（1）との間のネットワークリソースを確保することが可能となる。本実施形態では、エッジ中継装置（3）と第２のSIPサーバ（1）との間の帯域を100Mbpsで確保する。第２のポリシーサーバ（2）は、エッジ中継装置（3)と第２のSIPサーバ（1）との間で確保した帯域情報（100Mbps）を管理する。
【００２７】
次に、第２のSIPサーバ（1）は、SIPの200 OKメッセージを第１のSIPサーバ（1'）に送信する。第１のSIPサーバ（1'）は、SIPの200 OKメッセージを受け付けた場合に、リソース確保のメッセージを第１のポリシーサーバ（2'）に送信する。なお、リソース確保のメッセージには、200 OKメッセージに含まれるネットワークリソースに関する情報が含まれる。第１のSIPサーバ（1'）は、ネットワークリソースに関する情報を、SDPを用いてメッセージボディに記述する。
【００２８】
第１のポリシーサーバ（2'）は、リソース確保のメッセージを受け付けた場合に、MEGACOを用いて受信側通信装置（UA'）の最寄りのエッジ中継装置（3'）と第１のSIPサーバ（1'）との間のネットワークリソースを確保する。なお、第１のポリシーサーバ（2'）は、リソース確保のメッセージに含まれるネットワークリソースに関する情報に応じたネットワークリソースを確保する。これにより、第１のポリシーサーバ（2'）は、エッジ中継装置（3'）と第1のSIPサーバ（1'）との間のネットワークリソースを確保することが可能となる。本実施形態では、エッジ中継装置（3'）と第１のSIPサーバ（1'）との間の帯域を100Mbpsで確保する。第１のポリシーサーバ（2'）は、エッジ中継装置（3')と第１のSIPサーバ（1'）との間で確保した帯域情報（100Mbps）を管理する。
【００２９】
次に、第１のSIPサーバ（1'）は、SIPの200 OKメッセージを受信側通信装置（UA'）に送信する。受信側通信装置（UA'）は、SIPの200 OKメッセージを受け付けた場合に、受信側通信装置（UA'）と送信側通信装置（UA）との間で情報通信を開始する（通信開始）。これにより、本実施形態の通信システムは、SIPのシグナリングを用いてネットワークリソースを確保して情報通信を開始することが可能となる。SIPのシグナリングを用いてネットワークリソースを確保した状態を図３に示す。図３に示すように、SIPのシグナリングを用いてネットワークリソースを確保した場合には、エッジ中継装置（3,3'）のネットワークリソースを確保することになる。本実施形態では、図３に示すように、エッジ中継装置（3,3'）のネットワークリソースを確保した状態で、受信側通信装置（UA'）と送信側通信装置（UA）との間で100Mbpsの帯域で情報通信を開始する。例えば、送信側通信装置（UA）から受信側通信装置（UA'）にコンテンツ情報等を送信する。SIPのシグナリングを用いて情報通信を開始することで、受信側通信装置（UA'）は、コンテンツ情報等を送信側通信装置（UA）から取得するまでの時間を短縮することが可能となる。
【００３０】
＜第２の工程；RSVPのシグナリングを用いたリソース確保を行う工程＞
次に、RSVPのシグナリングを用いたリソース確保を行う工程について説明する。
SIPのシグナリングを用いてネットワークリソースを確保して情報通信を開始した後に、送信側通信装置（UA）は、RSVPのPATHのメッセージを中継装置（3''）に送信する。PATHメッセージには、中継装置が保証しなければならないネットワークリソースに関する情報やPATHメッセージが通知されてきた中継装置に関する情報が含まれる。送信側通信装置（UA）は、情報通信を行う際に使用する帯域をADSPECで指定する。ADSPECは、トラフィックのパラメータを表すものである。ADSPECは、Overriding Global ADSPEC や、Complete ADSPEC等が適用可能である。本実施形態では、情報通信を行う際に使用する帯域を100MbpsとしてADSPECで指定する。PATHメッセージは、いくつかの中継装置を介して受信側通信装置（UA')まで送信される。各中継装置（3''）はPATHメッセージを受信した場合に、リソース確保を行う。これにより、通信装置（UA、UA'）間のネットワークリソースを確保することになる。なお、各中継装置（3''）は、自信の装置の処理能力に応じてADSPECの帯域を変更する。本実施形態では、ADSPECの帯域を20Mbpsに変更する。このため、本実施形態では、通信装置（UA、UA'）間の帯域を20Mbpsで確保することになる。
【００３１】
受信側通信装置（UA'）は、PATHメッセージを受信した場合に、RESVメッセージを送信側通信装置（UA）に向けて送信する。RESVメッセージは、PATHメッセージが通知されてきた中継装置の順番と逆向きに中継装置を経由して送信側通信装置（UA）まで送信される。各中継装置（3''）はRESVメッセージを受信した場合に、リソース確保を行う。これにより、通信装置（UA、UA'）間のネットワークリソースを確保することになる。なお、各中継装置（3''）は、自信の装置の処理能力に応じてADSPECの帯域を変更する。本実施形態では、通信装置（UA、UA'）間の帯域を20Mbpsで確保することになる。
【００３２】
リソース確保を行った後は、受信側通信装置（UA'）と送信側通信装置（UA）との間で情報通信を行う。なお、本実施形態では、受信側通信装置（UA'）と送信側通信装置（UA）との間で20Mbpsの帯域で情報通信を行うことになる。これにより、本実施形態の通信システムは、第１の工程でSIPのシグナリングを用いてネットワークリソースを確保して情報通信を開始した後に、RSVPのシグナリングを用いてネットワークリソースを確保して情報通信を継続することが可能となる。
【００３３】
その結果、本実施形態の通信システムは、SIPのシグナリングを用いて情報通信を開始するまでの時間を短縮した後に、RSVPのシグナリングを用いて一定の通信品質に向上させて情報通信を継続することが可能となる。RSVPのシグナリングを用いてネットワークリソースを確保した状態を図４に示す。図４に示すように、RSVPのシグナリングを用いてネットワークリソースを確保した場合には、中継装置（3、3'、3''）間のネットワークリソースを確保することになる。本実施形態では、図４に示すように、中継装置（3、3'、3''）のネットワークリソースを確保した状態で、受信側通信装置（UA'）と送信側通信装置（UA）との間で20Mbpsの帯域で情報通信を継続することになる。RSVPのシグナリングを用いて情報通信を継続することで、受信側通信装置（UA'）は、一定の通信品質を確保したコンテンツ情報等を送信側通信装置（UA）から取得することが可能となる。通信品質としては、ジッター、パケットロス率、遅延等が挙げられる。
【００３４】
＜第３の工程；エッジ中継装置のリソース変更を行う工程＞
次に、エッジ中継装置（3、3'）のリソース変更を行う工程について説明する。
受信側通信装置（UA'）は、SIPの200 OKメッセージに含まれるネットワークリソースに関する情報と、RSVPのPATHメッセージやRESVメッセージに含まれるネットワークリソースに関する情報と、が異なる場合には、RSVPのメッセージに含まれるネットワークリソースに関する情報をSIPのUPDATEメッセージに含めて第１のSIPサーバ（1'）に送信する。受信側通信装置（UA'）は、ネットワークリソースに関する情報を、SDPを用いてメッセージボディに記述する。本実施形態では、SIPの200 OKメッセージで指定した帯域情報が100Mbpsであり、RSVPのADSPECの帯域情報が20Mbpsであるため、20Mbpsの帯域情報を含めたSIPのUPDATEメッセージを第１のSIPサーバ（1'）に送信する。
第１のSIPサーバ（1'）は、SIPのUPDATEメッセージを受け付けた場合に、そのSIPのUPDATEメッセージを第２のSIPサーバ（1）に送信する。
第２のSIPサーバ（1）は、SIPのUPDATEメッセージを受け付けた場合に、そのSIPのUPDATEメッセージを送信側通信装置（UA）に送信する。
【００３５】
送信側通信装置（UA）は、SIPのUPDATEメッセージを受け付けた場合に、レスポンスメッセージであるSIPの200 OKメッセージを第２のSIPサーバ（1）に送信する。なお、200 OKメッセージには、情報通信を行う際に確保するための帯域情報（本実施形態では20Mbps）等のネットワークリソースに関する情報が含まれる。送信側通信装置（UA）は、ネットワークリソースに関する情報を、SDPを用いてメッセージボディに記述する。
第２のSIPサーバ（1）は、SIPの200 OKメッセージを受け付けた場合に、リソース確保のメッセージを第２のポリシーサーバ（2）に送信する。なお、リソース確保のメッセージには、200 OKメッセージに含まれるネットワークリソースに関する情報が含まれる。第２のSIPサーバ（1）は、ネットワークリソースに関する情報を、SDPを用いてメッセージボディに記述する。
【００３６】
第２のポリシーサーバ（2）は、リソース確保のメッセージを受け付けた場合に、MEGACOを用いてエッジ中継装置（3）と第２のSIPサーバ（1）と間のネットワークリソースを確保する。なお、第２のポリシーサーバ（2）は、リソース確保のメッセージに含まれるネットワークリソースに関する情報に応じたネットワークリソースを確保する。これにより、第２のポリシーサーバ（2）は、エッジ中継装置（3）と第２のSIPサーバ（1）との間のネットワークリソースを確保することが可能となる。本実施形態では、エッジ中継装置（3）と第２のSIPサーバ（1）との間の帯域を20Mbpsで確保する。第２のポリシーサーバ（2）は、エッジ中継装置（3)と第２のSIPサーバ（1）との間で確保した帯域情報（20Mbps）を管理する。
【００３７】
次に、第２のSIPサーバ（1）は、SIPの200 OKメッセージを第１のSIPサーバ（1'）に送信する。第１のSIPサーバ（1'）は、SIPの200 OKメッセージを受け付けた場合に、リソース確保のメッセージを第１のポリシーサーバ（2'）に送信する。なお、リソース確保のメッセージには、200 OKメッセージに含まれるネットワークリソースに関する情報が含まれる。第１のSIPサーバ（1'）は、ネットワークリソースに関する情報を、SDPを用いてメッセージボディに記述する。
【００３８】
第１のポリシーサーバ（2'）は、リソース確保のメッセージを受け付けた場合に、MEGACOを用いて受信側通信装置（UA'）の最寄りのエッジ中継装置（3'）と第１のSIPサーバ（1'）と間のネットワークリソースを確保する。なお、第１のポリシーサーバ（2'）は、リソース確保のメッセージに含まれるネットワークリソースに関する情報に応じたネットワークリソースを確保する。これにより、第１のポリシーサーバ（2'）は、エッジ中継装置（3'）と第1のSIPサーバ（1'）との間のネットワークリソースを確保することが可能となる。本実施形態では、エッジ中継装置（3'）と第１のSIPサーバ（1'）との間の帯域を20Mbpsで確保することが可能となる。第１のポリシーサーバ（2'）は、エッジ中継装置（3')と第１のSIPサーバ（1'）との間で確保した帯域情報（20Mbps）を管理する。
【００３９】
次に、第１のSIPサーバ（1'）は、SIPの200 OKメッセージを受信側通信装置（UA'）に送信する。受信側通信装置（UA'）は、SIPの200 OKメッセージを受け付けた場合に、受信側通信装置（UA'）と送信側通信装置（UA）との間で情報通信を継続する（通信開始更新）。これにより、本実施形態の通信システムは、SIPのシグナリングを用いてネットワークリソースを確保して情報通信を開始した後に、RSVPのシグナリングを用いてネットワークリソースを確保して情報通信を継続した場合に、SIPのシグナリングを用いて確保したネットワークリソースと、RSVPのシグナリングを用いて確保したネットワークリソースと、が異なる場合には、SIPのシグナリングを用いて確保したネットワークリソース（本実施形態では100Mbpsの帯域情報）を、RSVPのシグナリングを用いて確保したネットワークリソース（20Mbpsの帯域情報）に調整することが可能となる。その結果、本実施形態の通信システムは、SIPのシグナリングを用いて確保した不要なネットワークリソースを解放し、ネットワークリソースの有効活用を図ることが可能となる。また、エッジ中継装置（3,3'）にてポリシングを行い、必要なビットレート以上のデータをネットワーク上に送信しないようにすることが可能となる。
【００４０】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００４１】
例えば、上述した図２に示す処理動作では、情報通信を行う際に確保する帯域情報等のネットワークリソースに関する情報をSIPのINVITEメッセージに含めないことにした。しかし、ネットワークリソースに関する情報をSIPのINVITEメッセージに含めるように構築することも可能である。この場合、受信側通信装置（UA'）は、送信側通信装置（UA）と接続し、送信側通信装置（UA）と情報通信を行う際に必要な帯域情報等のネットワークリソースに関する情報を送信側通信装置（UA）から予め取得し、その取得したネットワークリソースに関する情報をSIPのINVITEメッセージに含めて送信することになる。なお、ネットワークリソースに関する情報をSIPのINVITEメッセージに含めるように構築した場合には、受信側通信装置（UA'）は、SIPのINVITEメッセージや200 OKメッセージの少なくとも１つのメッセージに含まれるネットワークリソースに関する情報と、RSVPのPATHメッセージやRESVメッセージの少なくとも１つのメッセージに含まれるネットワークリソースに関する情報と、が異なる場合に、RSVPのメッセージに含まれるネットワークリソースに関する情報をSIPのUPDATEメッセージに含めて第１のSIPサーバ（1'）に送信するように構築することも可能である。
【００４２】
また、上述した通信システムを構成する各装置における制御動作は、ハードウェア、ソフトウェア、あるいは、両者の複合構成を用いて実行することも可能である。
【００４３】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータ内のメモリにインストールして実行させることが可能である。
【００４４】
例えば、プログラムは、記録媒体としてのハードディスクやROM（Read Only Memory）に予め記録しておくことが可能である。あるいは、プログラムは、リムーバブル記録媒体に一時的、あるいは、永続的に格納（記録）しておくことが可能である。このようなリムーバブル記録媒体は、いわゆるパッケージソフトウエアとして提供することが可能である。なお、リムーバブル記録媒体としては、フロッピー（登録商標）ディスク、CD-ROM（Compact Disc Read Only Memory）、MO（Magneto optical）ディスク、DVD（Digital Versatile Disc）、磁気ディスク、半導体メモリなどが挙げられる。
【００４５】
なお、プログラムは、上述したようなリムーバブル記録媒体からコンピュータにインストールすることになる。また、ダウンロードサイトからコンピュータに無線転送することになる。また、ネットワークを介してコンピュータに有線で転送することになる。
【００４６】
また、本実施形態における通信システムは、上記実施形態で説明した処理動作に従って時系列的に処理を実行するだけでなく、処理を実行する装置の処理能力、あるいは、必要に応じて並列的にあるいは個別に処理を実行するように構築することも可能である。
【産業上の利用可能性】
【００４７】
本発明は、通信装置間で情報通信を行うシステムに適用可能である。
【図面の簡単な説明】
【００４８】
【図１】本実施形態の通信システムのシステム構成例を示すブロック図である。
【図２】本実施形態の通信システムにおける一連の処理動作例を示すシーケンスチャートである。
【図３】本実施形態の通信システムにおける処理動作例を説明するための図であり、SIPのシグナリングを用いてネットワークリソースを確保した状態を示す図である。
【図４】本実施形態の通信システムにおける処理動作例を説明するための図であり、RSVPのシグナリングを用いてネットワークリソースを確保した状態を示す図である。
【図５】RSVPのシグナリングのみを用いて通信処理を行う場合を説明するための図である。
【符号の説明】
【００４９】
UA、UA'    通信装置
1、1'    SIPサーバ
2、2'    ポリシーサーバ
3、3'、3''    中継装置
【図１】
2010016735.tif 000003
【図２】
2010016735.tif 000004
【図３】
2010016735.tif 000005
【図４】
2010016735.tif 000006
【図５】
2010016735.tif 000007